(57)【要約】      （修正有）【課題】内蔵型の電池パックで電池パック側が平板電極でこれに突き出す構造で接触するピン電極を採用した電気機器本体側の電子回路に好適で、何らかの衝撃が付加されてもピン電極と平板電極が離れて電子回路に瞬断が生じないようにした電池パックの寸法補正構造を提供する。【解決手段】電池パック本体５の少なくとも１箇所に該電池パック本体と一体的で且つ構造的及び素材的に弾力性を有する寸法補正の構体７とを設けてなることを特徴とする電池パックの寸法補正構造。【選択図】    図１
2006049160.tif 000002
【特許請求の範囲】
【請求項１】
電池と、該電池を収納する上蓋と下蓋とから構成される電池パック本体と、該電池パック本体の少なくとも１箇所に該電池パック本体と一体的で且つ構造的及び素材的に弾力性を有する寸法補正の構体とを設けてなることを特徴とする電池パックの寸法補正構造。
【請求項２】
扁平で角型の二次電池と、該二次電池を収納する上蓋と下蓋とから構成され前記二次電池と相似形の電池パック本体と、該電池パック本体の少なくとも１辺に該電池パック本体と一体的で且つ構造的及び素材的に弾力性を有する円弧状の寸法補正の補正体とを設けてなることを特徴とする電池パックの寸法補正構造。
【請求項３】
扁平で角型の二次電池と、該二次電池を収納する上蓋と下蓋とから構成され前記二次電池と相似形の電池パック本体と、該電池パック本体の隣り合う二辺に該電池パック本体と一体的で且つ構造的及び素材的に弾力性を有する円弧状の寸法補正の補正体とを設けてなることを特徴とする電池パックの寸法補正構造。
【請求項４】
扁平で角型の二次電池と、該二次電池を収納する上蓋と下蓋とから構成され前記二次電池と相似形の電池パック本体と、該電池パック本体の隣り合う二辺であって該二辺で挟まれる隅に近ずけて前記電池パック本体と一体的で且つ構造的及び素材的に弾力性を有する円弧状の寸法補正の補正体とを設けてなることを特徴とする電池パックの寸法補正構造。
【発明の詳細な説明】
【技術分野】
【０００１】
この発明は、電池パックに係り、主に電子機器に内蔵される所謂内蔵型の電池パックの寸法補正構造に関する。
【背景技術】
【０００２】
最近、携帯電話機器は小型、軽量でしかも移動中でもほとんどのエリアでコミニケーションができ、非常に利便性が高いため急速に普及している。この携帯電話機器には技術進歩で連続使用時間も長くなった二次電池が保護回路とともにパック化され電池パックとして大いに利用されている。この電池パックは電子機器本体に内蔵される内蔵タイプと、電子機器本体の外観と一体的に外観形成する所謂外付けタイプに分けられる。いずれも電子機器本体の電子回路への電気的結合の確実性と構造的結合の確実性とが計れる構造が採用されている。しかし特に内蔵型の電池パックは電子機器本体内の電子回路の電極と電気的に結合するので何らかの衝撃で互いの電極が開放しないようにする必要がある。つまり電子機器の電子回路の電極と電池パックの電極が一瞬的に解放する所謂瞬断が生じると電池パックの電力が電子機器本体の電子回路に給電されなくなり電子回路に悪影響が生じてしまうことになる。
【特許文献１】特開平９−５５１９６
【発明の開示】
【発明が解決しようとする課題】
【０００３】
そこで、この発明の課題は内蔵型の電池パックで電池パック側が平板電極でこれに突き出す構造で接触するピン電極を採用した電気機器本体側の電子回路に好適で、何らかの衝撃が付加されてもピン電極と平板電極が離れて電子回路に瞬断が生じないようにした電池パックの寸法補正構造を提供するものである。
【課題を解決するための手段】
【０００４】
この発明は、上記の課題を解決するために、次のような構成要素を備えている。
請求項１に記載の発明は、図１〜図４に示すように、電池パック本体の少なくとも１箇所に該電池パック本体と一体的で且つ構造的及び素材的に弾力性を有する寸法補正の構体とを設けてなることを特徴とする電池パックの寸法補正構造である。
【０００５】
請求項２に記載の発明は、図１〜図４に示すように、扁平で角型の二次電池と、該二次電池を収納する上蓋と下蓋とから構成され前記二次電池と相似形の電池パック本体と、該電池パック本体の少なくとも１辺に該電池パック本体と一体的で且つ構造的及び素材的に弾力性を有する円弧状の寸法補正の補正体とを設けてなることを特徴とする電池パックの寸法補正構造である。
【０００６】
請求項３に記載の発明は、図１〜図４に示すように、電池パック本体の隣り合う二辺に該電池パック本体と一体的で且つ構造的及び素材的に弾力性を有する円弧状の寸法補正の補正体とを設けてなることを特徴とする電池パックの寸法補正構造である。
【０００７】
請求項４に記載の発明は、図１〜図４に示すように、扁平で角型の二次電池と、該二次電池を収納する上蓋と下蓋とから構成され前記二次電池と相似形の電池パック本体と、該電池パック本体の隣り合う二辺であって該二辺で挟まれる隅に近ずけて前記電池パック本体と一体的で且つ構造的及び素材的に弾力性を有する円弧状の寸法補正の補正体とを設けてなることを特徴とする電池パックの寸法補正構造である。
【発明の効果】
【０００８】
請求項１に記載の発明によれば、電池パックが角型以外の形状でも電子機器本体内の電池パック収納個所に収納でき、何らかの衝撃でも電子機器本体の電子回路と電池パックとの瞬断が生じることはないものである。
【０００９】
請求項２に記載の発明によれば、電池パックの蓋と一体で円弧状の寸法補正体を設けたので電子機器本体の電池パック収納個所内に収納された電池パックが一方方向に押され従って何らかの衝撃で電極相互が離れることは無くなる。
【００１０】
請求項３に記載の発明によれば、電池パック本体の隣り合う二辺に該電池パック本体と一体的で且つ構造的及び素材的に弾力性を有する円弧状の寸法補正の補正体とを設けているのでX−Y方向に対する振動を吸収でき。
【００１１】
請求項４に記載の発明によれば、電池パック本体の隣り合う二辺であって該二辺で挟まれる隅に近ずけて前記電池パック本体と一体的で且つ構造的及び素材的に弾力性を有する円弧状の寸法補正の補正体とを設けているのでより一層X−Y方向の抑えが確実なものにでき瞬断がなくなる。
【発明を実施するための最良の形態】
【００１２】
（実施形態１）
以下、この発明の実施形態１を添付図面、図１、図２、図３に基づいて説明する。
図１の１はプラスチック等の樹脂性でなる電池パックの下蓋で、之に嵌合する上蓋２を形成する。この両蓋１，２内には扁平な角形で充電機能がある電池３が収納される。この電池３には電極４があって、この電極４は上蓋２及び下蓋１で構成される電池パック本体５の一面に外部に露出して設けられる。
【００１３】
前記電極４は平板な電極でこの電極は電池３の極に電気的に接続されている。また、電極４には電子機器本体の電子回路に電気的に接続したピン電極６が後ろから弾力的に押されて接触している。したがって、ピン電極６の先端は電極４に垂直に当接した構造になっていて電気的に導通している。
【００１４】
図３はこの箇所の拡大図である。このようなピン電極６は何らかの振動で電極４から離れることが生じるので前期電池パック本体５の下蓋１の側面に電池パック本体５と同材の円弧形状の寸法補正体７を一体的に形成する。
【００１５】
この寸法補正体７は図２の電子機器本体の電池パック本体５の収納箇所８に収納する際、この収納箇所８内に寸法補正体７を変形させながら強制的に収納するので矢印A方向に電池パック本体５が押され緊密に収納箇所で制し状態を維持する。従って、何らかの衝撃が付勢されてもピン電極６が平板電極４から離れることはない。したがって、電子機器本体の電子回路に瞬断を生じることはないものである。
【００１６】
（実施形態２）
次に、図１、図２、図３を参照してこの発明の実施形態２について説明する。なお実施形態１と同一箇所は同一符号を付して説明を省略する。
前記電池パック本体５の下蓋１の二辺には円弧状の補正体１０を下蓋１と一体的に形成する。このように形成した電池パック本体５は内部に充電可能な電池３を収納していて、この平板電極４は電池パック本体５から外部に露出している。
【００１７】
このように補正体１０を二辺に形成した電池パック本体５を電子機器本体の収納箇所８に収納する場合は強制的に収納すると前記補正体１０が撓み確実に収納される。これによって電池パック本体５はX―Y方向即ち矢印A及び矢印B方向に前記補正体１０の撓み力が働いて押された状態で収納されるから何らかの衝撃で平板電極４とピン電極６とが離れて所謂瞬断の状態にはならないものである。
【００１８】
（実施形態３）
次に、図１、図２、図３、図４を参照してこの発明の実施形態３のついて説明する。なお実施形態１及び実施形態２の説明と同一部分は同一符号を付して説明を省略する。
前記実施形態２では補正体１０を辺の中央箇所に下蓋１と一体的に形成したが、前記補正体１０を二辺の隅に近い箇所に下蓋１と一体的に形成してもよいもので、これによっていっそう矢印A及びB方向に押されることになるものである。即ち、実施形態２の二辺の中央箇所に構造的に形成できない時は隅に形成できるものである。
【図面の簡単な説明】
【００１９】
【図１】この発明を電池パックに適用した場合の斜視図。（実施形態１）
【図２】電池パックを電子機器本体に収納した際の斜視図。（実施形態１，２、３）
【図３】この発明の要部の拡大斜視図。（実施形態１，２，３）
【図４】この発明を電池パックに適用した場合の斜視図。（実施形態３）
【符号の説明】
【００２０】
１  下蓋
２  上蓋
３  電池
４  平板電極
５  電池パック
６  ピン電極
７  １０  １１補正体
８  収納箇所
【図１】
2006049160.tif 000003
【図２】
2006049160.tif 000004
【図３】
2006049160.tif 000005
【図４】
2006049160.tif 000006